(57)【要約】【課題】コンプレッサ組立の振動を抑制するとともに、冷媒循環パイプの破損を防止することができるドラム式洗濯乾燥機を提供する。【解決手段】ヒートポンプ機構を有するドラム式洗濯乾燥機において、コンプレッサの防振支持脚は、コンプレッサを台板に取り付ける取付部材と弾性支持体とで構成され、その弾性支持体は、取付部材を挿通し内周と接触する連通穴を有する上部弾性体と下部弾性体が上部弾性体と下部弾性体との対向面に所定の隙間を有して構成され、その上部弾性体と下部弾性体とによりスプリングを挟持して、弾性支持体の外周と接触するように囲繞させるように構成されている。【選択図】  図５
2008000260.tif 000002
【特許請求の範囲】
【請求項１】
外箱と、
この外箱の内部に配置され、衣類が収容されるドラムと、
前記外箱内に防振支持脚を介して台板上に設けられるコンプレッサと、
前記コンプレッサ、エバポレータ、コンデンサ、並びにこれらコンプレッサ、エバポレ
ータ及びコンデンサを連結する冷媒循環配管からなり、ドラム内の衣類を乾燥させるヒー
トポンプ機構とを具備し、
前記コンプレッサの防振支持脚は、
コンプレッサを台板上に取付ける取付部材と、
上部弾性体と下部弾性体とから構成され、前記取付部材を内周と接触する状態で挿通す
る連通穴を有し、上部弾性体と下部弾性体との対向面間に所定の隙間を設けて配置した弾
性支持体と、
上部弾性体と下部弾性体とにより挟持され、弾性支持体の外周面と接触するように囲繞
されるスプリングとから
構成されることを特徴とするドラム式洗濯乾燥機。
【請求項２】
防振支持脚は、スプリングが所定の長さ縮小した時に、上部弾性体と下部弾性体との間
の隙間がなくなり、上部弾性体と下部弾性体が接触することを特徴とする請求項１記載の
ドラム式洗濯乾燥機。
【請求項３】
弾性支持体は、スプリングとの接触面から内周方向に離れるように所定の隙間に向かっ
て傾斜部を有することを特徴とする請求項１または請求項２記載のドラム式洗濯乾燥機。
【請求項４】
弾性支持体は、連通穴の一部に取付部材と離間する離間部を有することを特徴とする請
求項１乃至請求項３記載のドラム式洗濯乾燥機。
【請求項５】
離間部は、取付部材から外周方向に離れるように所定の隙間に向かって傾斜部を有する
ことを特徴とする請求項４記載のドラム式洗濯乾燥機。
【発明の詳細な説明】
【技術分野】
【０００１】
本発明は、洗濯物の乾燥用にヒートポンプを備えたドラム式洗濯乾燥機に関する。
【背景技術】
【０００２】
従来より、ドラム式洗濯乾燥機は、ヒートポンプ機構を備え、ヒートサイクルを利用し
て、衣類を乾燥させているものがある。
ヒートポンプ機構は、コンプレッサ、エバポレータ、コンデンサから構成され、外箱の
下部に設置されておりこれらコンプレッサとエバポレータ、及びコンデンサ間には冷媒が
流れるための配管が設けられている。
【０００３】
このコンプレッサは、コンプレッサ支持台に接続され、コンプレッサ支持台には、コン
プレッサの防振支持脚として中空のゴム脚が支持台２２の嵌込穴に嵌めこまれていて、こ
のゴム脚により外箱下部からコンプレッサは一定距離ほど離間して保持されている。
ゴム脚の内部は、外箱に対して横方向にずれないためのボルトがゴム脚の上方から外箱
に打ち込まれており、このボルトはワッシャ及びボルト周囲の円筒部材によって保持され
ている。
このような構成の防振支持脚は、コンプレッサが振動した時に、ゴム脚と円筒部材、ワ
ッシャとが接触することで、振動を押さえる役目を果たしている。
【０００４】
また、上記以外のコンプレッサの支持構造としては、スプリングとゴム脚を併用して使
用するものが提案されている（特許文献１参照）。
この構造は、コンプレッサを外箱から離間して設置するように、コンプレッサ支持台と
外箱間をボルトにより所定距離をあけて固定しているもので、このコンプレッサの周囲に
スリーブを嵌挿し、そのスリーブの周囲に上弾性体と下弾性体を摺動自在に、上弾性体と
下弾性体との間に隙間を有するように嵌挿し、これら弾性体の周囲に離間してスプリング
が設置されるものである。
【０００５】
この構造によりコンプレッサの振動が大きい時には、上弾性体と下弾性体との隙間がな
くなり上弾性体と下弾性体が接触して振動を防止し、さらにスプリングの効果により振動
を防止する作用を有している。
【特許文献１】実公昭４９−３９２０５号公報
【発明の開示】
【発明が解決しようとする課題】
【０００６】
しかしながら上記従来の構成のものでは、次の問題があった。
特許文献１のコンプレッサが駆動する場合、コンプレッサの振動は微小であり、コンプ
レッサに接続される配管が破損する恐れは少なかった。
しかし、ヒートポンプサイクルを備えた従来のドラム式洗濯乾燥機の場合、コンプレッ
サ自身の振動に加えて、水槽やドラムからの振動による加振が大きく発生する。
特に脱水時には低回転数域で布を均等にドラム内周に張り付かせることによりアンバラ
ンスを低減してから高回転域に移行していくが、ある程度の振動は水槽を支えるサスペン
ションから外箱に伝わり、ヒートポンプ機構が加振されてしまう。
するとコンプレッサはゴム脚によってエバポレータ、コンデンサとは異なる振動となる
ため、配管に負荷がかかり、配管が破損する可能性があった。
【０００７】
また、輸送時や落下時にもコンプレッサが脱水時以上に多大な振動になり、配管が破損
する恐れもあった。
本発明は上記事情に鑑みてなされたものであり、その目的はコンプレッサの振動を抑制
するとともに、ヒートポンプ機構の破損を防止することができるドラム式洗濯乾燥機を提
供するにある。
【課題を解決するための手段】
【０００８】
上記の目的を達成するために本発明によるドラム式洗濯乾燥機は、外箱と、この外箱の
内部に配置され、衣類が収容されるドラムと、前記外箱内に防振支持脚を介して台板上に
設けられるコンプレッサと、前記コンプレッサ、エバポレータ、コンデンサ、並びにこれ
らコンプレッサ、エバポレータ及びコンデンサを連結する冷媒循環配管からなり、ドラム
内の衣類を乾燥させるヒートポンプ機構とを具備し、前記コンプレッサの防振支持脚は、
コンプレッサを台板上に取付ける取付部材と、上部弾性体と下部弾性体とから構成され、
前記取付部材を内周と接触する状態で挿通する連通穴を有し、上部弾性体と下部弾性体と
の対向面間に所定の隙間を設けて配置した弾性支持体と、上部弾性体と下部弾性体とによ
り挟持され、弾性支持体の外周面と接触するように囲繞されるスプリングとから構成され
ることを主たる特徴とする。
【発明の効果】
【０００９】
上記構成によれば、防振支持脚は、弾性支持体を上部弾性体と下部弾性体との対向面に
所定の隙間を有して構成し、弾性支持体の外周にスプリングを接触するように囲繞して構
成したため、コンプレッサの振動が大きい時に、スプリングと弾性支持体の摩擦力と、上
部弾性体と下部弾性体とが接触することにより起こる弾性力とにより、コンプレッサの振
動を減衰吸収することで効果的にヒートポンプ機構の配管の破損を防止し、ドラム式選択
乾燥機の信頼性を向上させることができる。
【発明を実施するための最良の形態】
【００１０】
＜第１実施例＞
以下、本発明の第１実施例について図１から図８を参照して説明する。  
図１は、ドラム式洗濯乾燥機の全体構成の概略を示す縦断正面図である。図２は、ドラ
ム式洗濯乾燥機の縦断右側面図である。図３は、（ａ）がコンプレッサ組立の側面図、（
ｂ）が、コンプレッサ組立の上面図である。  
図４は、取付ボルトの外観図を示し、図５は、コンプレッサの支持構造を示したもので
半断面図を図示している。図６、図７もコンプレッサの支持構造を示したもので半断面図
を図示している。
【００１１】
図１、２に示すように、ドラム式洗濯乾燥機１は全体として矩形箱状をしており、その
外郭を形成する外箱２の前面には円形状の洗濯物投入口３を形成し、この洗濯物投入口３
には開閉可能な扉４が取り付けられている。  
そして外箱２内部には、水槽５が配設されていて、この水槽５は前面に開口部を有する
ドラム状を成すもので、外箱２の底面部に左右一対のサスペンション５ａを介して横向き
に弾性支持されており、その支持形態は、前面の開口部に向かって上昇傾斜する形状であ
る。  
【００１２】
この水槽５の前部には環状をなす水槽カバー６が設けられていて、後述するようにこの
水槽カバー６と洗濯物投入口３との間がベロー７によって水密に連通接続されている。  
水槽５の閉塞された底面を構成する後端面部（図２中、右側の端面部）は十分な機械的
強度を有し、その背面にモータ９が取付けられている。またその上部には、給気口１１が
形成されている。そのほか、水槽５の側面最底部には図示しない排水口が形成されており
、その下流には排水弁、排水ホースが接続されている。また水槽５の上面には可撓性ホー
スが接続されており、この可撓性ホースは外箱２の前方上部に設けられた洗剤ケースを介
して後部の給水口と繋がっている（いずれも図示せず）。
【００１３】
また水槽５の内部には、所定の間隙を有して径小のドラム８が配設されている。このド
ラム８の閉塞された底面は、強度十分の板厚とした例えば金属製のドラム支えとして機能
するように設けられている。このドラム支え中心部に取付けられたドラムシャフトは、水
槽５の底部の中心部から前記モータ９に取付けられている。これにより、ドラム８は、水
槽５と同じ傾斜をもって水槽５に回転可能に支持される。  
また前記ドラム８には、周壁部にのほぼ全域に通水および通風が可能な多数の孔８ａが
設けられており（図２では一部のみ図示）、また胴部の内周部の数か所にバッフルが取付
けられている。  
また上記した水槽カバー６は、中央部に開口部を有するリング状を成して、鉄板やステ
ンレス板等の金属、又はガラスや合成樹脂などの耐熱性である剛性材で構成されている。
【００１４】
この水槽カバー６は、その上部に排気口６ａを形成しており、その外部には排気口６ａ
を覆い、連通する排気ダクト１６が設けられている。  
この排気ダクト１６は、水槽カバー６を囲繞するように環状に設けられており、その排
気ダクト１６の下部は、蛇腹状部を有する可撓性ダクト１５を介して、水槽５の下方に設
けられた乾燥ユニット用ダクト１３に接続されている。  
この乾燥ユニット用ダクト１３は外箱２内に前部から後方へ延びていて、その後部にフ
ァンケーシング１７が設けられている。ファンケーシング１７の上方に形成される吐出口
１７ｂには、蛇腹状部を有する接続ダクト１８ａを介して給気ダクト１８に接続されてい
る。給気ダクト１８は、その先端部が水槽５の後端面の上部において前記給気口１１と接
続されている。  
ここで、水槽カバー６の排気口６ａに接続された排気ダクト１６、可撓性ダクト１５、
乾燥ユニット用ダクト１３、ファンケーシング１７、接続ダクト１８ａ、そして、水槽５
の給気口１１に接続された給気ダクト１８により、水槽５内と連通した循環送風路１０を
構成している。循環送風路１０のうちファンケーシング１７内には、送風機１４を構成す
るファンが配設され、ファンケーシング１７の外部にファンモータが配設されている。
【００１５】
乾燥ユニット用ダクト１３内には、ヒートポンプ機構２９のエバポレータ（蒸発器）１
９とコンデンサ（凝縮器）２０とが配設されている。ヒートポンプ機構２９は、周知のよ
うに、コンプレッサ（圧縮機）２３と、コンデンサ２０と、エバポレータ１９を順に冷媒
循環配管である配管２８ａ、２８ｂ、２８ｃと、によりサイクル状に接続して冷凍サイク
ルを構成するもので、コンプレッサ２３を駆動することに伴い、冷媒がそれらを順に通っ
て循環するようになっている。このとき、コンデンサ２０においては、冷媒が熱を放出し
て液化するようになっており、このコンデンサ２０は循環空気の加熱手段として機能する
。また、エバポレータ１９においては、冷媒が蒸発する際に周囲の熱を奪うことにより周
囲を冷却するようになっており、このエバポレータ１９は循環空気の冷却手段として機能
する。そしてこの場合、送風機１４やコンデンサ２０およびエバポレータ１９等のヒート
ポンプ機構２９により乾燥機能手段を構成するもので、これらは外箱２内において水槽５
の下方に配設されており、外箱２内の底部である台板１２に配置されている。また乾燥ユ
ニット用ダクト１３に比して高さ方向に大きいコンプレッサ２３は、外箱２の前面に向か
って上昇傾斜する水槽５の下方前方に配置されている。
【００１６】
このコンプレッサ２３は、外箱２に設置する為の所定部品とともに組立てられており、
コンプレッサ組立２１を形成している。  
このコンプレッサ組立２１は、図３に示すように構成されており、図３（ｂ）はその平
面図、図３（ａ）は（ｂ）のＡ−Ａ線に沿う縦断側面図を示している。  
コンプレッサ組立２１は、例えば鋼板などの金属材料からなる支持台２２と、この支持
台２２上に固定される略円柱状のコンプレッサ２３とを備え、それらを支える防振支持脚
３０とから構成されている。  
そして図２（ｂ）に示すように、薄板状をなす支持台２２は、略三角形状をなし、三箇
所の隅に外側に突出する円形の取付部２４が形成されている。  
そしてこの取付部２４に防振支持脚３０が取付られることにより、コンプレッサ２３が
防振支持脚３０を介して台板１２に固定される構成となる。
【００１７】
この防振支持脚３０は、図５に示すように弾性支持体２５、スプリング３１、及び取付
ボルト２６により構成されているものであり、取付部２４の孔部２４ａに弾性支持体２５
が挿入されて装着されている。  
この弾性支持体２５は、上部弾性体２５ａと下部弾性体２５ｂとの組み合わせで構成さ
れるものであって、上部弾性体２５ａが上述した孔部２４ａに挿入され、取付部２４を挟
み込むように固定されている。  
そして下部弾性体２５ｂは、底板に載置されており、上部弾性体２５ａとの対向面にお
いて所定の隙間ａを有するように離間して設置されている。  
これら上部弾性体２５ａと下部弾性体２５ｂは、例えばゴム製の内部が連通して中空状
に構成され、その連通穴である中空部２５ａ１、２５ｂ１には図４に示す取付部材である
取付ボルト２６の円柱部２７が摺動可能に挿通されて設けられている。  
また円柱部２７の上端には、上部弾性体２５ａの上面に載置するようにワッシャ２６ａ
が取り付けられており、円柱部２７の下端は、外箱２の底を形成する台板１２にねじ込ま
れている。この構成の取付ボルト２６によって、コンプレッサ２３は台板１２と位置決め
がされて、台板１２に固定され取り付けられる。  
また上部弾性体２５ａの中空部２５ａ１の下方部は円柱部２７と離間して中空離間部２
５ａ２が形成されている。  
【００１８】
さらに弾性支持体２５は、上部弾性体２５ａと下部弾性体２５ｂのフランジ部２５ａ３
，２５ｂ３により、スプリング３１を上下から挟み込んで挟持しており、上部弾性体２５
ａと下部弾性体２５ｂの外周部の接触部２５ａ４、２５ｂ４に囲繞してスプリング３１が
接触し、上部弾性体２５ａとスプリング３１との接触部２５ａ４より下方は、上部弾性体
２５ａの下端部、すなわち所定の隙間ａに向かって傾斜する傾斜部であるテーパ部２５ａ
５が形成される構成をしている。  
以上のようにして、コンプレッサ組立２１が構成されており、台板１２の上に取付けら
れている。
【００１９】
次に、上記のように構成された本実施例の作用について説明する。  
まず、本来の洗濯乾燥機能としては、周知のように、洗い、すすぎ、脱水、乾燥行程を
実行するものである。  
洗濯を行う場合には、扉４を開いて洗濯物（図示せず）を洗濯物投入口３を介して、ド
ラム８内に投入して収容する。そして洗剤を投入し、操作ボタンにおいて、例えば標準コ
ースが選択された場合には、図示しない制御装置が有する制御プログラムに基づき、洗い
、すすぎ、脱水、乾燥の各行程が自動的に行なわれる。  
洗い行程では、まず排水弁を閉じ、給水口から水が可撓性ホースを介して水槽５内に供
給されて貯留される。そして、モータ９が駆動されて、ドラム８が低速で正逆両方向に回
転されることにより、ドラム８内の洗濯物が洗われる。この際、洗濯物と洗濯水をバッフ
ルが順次かき上げ、洗濯物及び洗濯水の撹拌を促進する。  
洗い行程が終了すると、排水弁を開放して水槽５内の水を排出した後、中間脱水を行な
う。中間脱水は、モータ９によりドラム８を一方向に高速回転させることによって洗濯物
に含まれた水を遠心力により孔８ａから排出させて行われる。この中間脱水が終了すると
つづいてすすぎ行程が行われる。すすぎ行程は、給水時に洗剤を使用しないところ以外は
洗い行程と同様に行なわれる。すすぎ行程が終了すると、最終脱水行程が行なわれる。最
終脱水行程は、中間脱水行程と同様に、水槽５内の水を排出した後、モータ９によりドラ
ム８を一方向に高速回転させることによって行われる。
【００２０】
この最終脱水行程が終了すると、次に乾燥行程が行なわれる。この乾燥行程では、モー
タ９によりドラム８を低速で正逆両方向に回転させると共に、送風機１４、及びヒートポ
ンプ機構２９のコンプレッサ２３を駆動させる。このうち、送風機１４を駆動すると、フ
ァンの送風作用により、図２の矢印Ａで示すように、乾燥ユニット用ダクト１３内の空気
がファンケーシング１７側に吸引されると共に、吐出口１７ｂから接続ダクト１８ａを介
して給気ダクト１８側へ吐出される。  
給気ダクト１８へ吐出された空気は、給気口１１から水槽５内へ供給される。水槽５内
へ供給された空気の多くは、ドラム８の孔８ａ通してドラム８内に供給される。  
ドラム８内及び水槽５内の空気は、水槽５の前方に向かって流れ、扉４の後面やベロー
７にぶつかり、水槽５前部の排気口６ａから排気ダクト１６側へ排出される。排気ダクト
１６側へ排出された空気は、下方の可撓性ダクト１５を通り、乾燥ユニット用ダクト１３
に戻されるようにして循環される。  
【００２１】
また、コンプレッサ２３が駆動されると、コンプレッサ２３から高温高圧の冷媒がコン
デンサ２０に流れ、ここで放熱して液化する。このとき、乾燥ユニット用ダクト１３のコ
ンデンサ２０を通る空気がそのコンデンサ２０により加熱される。また、液化した冷媒は
、キャピラリチューブを通過して減圧された後、エバポレータ１９に流れ、ここで周囲の
熱を奪って気化する。このとき、乾燥ユニット用ダクト１３のエバポレータ１９を通る空
気がそのエバポレータ１９により冷却される。エバポレータ１９で気化した冷媒はコンプ
レッサ２３に戻り、再び圧縮されて高温高圧の冷媒となって吐出される。  
このようにして、コンデンサ２０により加熱された温風が、ドラム８内に供給されるこ
とにより、ドラム８内の洗濯物を加熱すると共に、洗濯物の水分を奪い、洗濯物を乾燥さ
せる。そして、水分を奪った空気が、乾燥ユニット用ダクト１３のエバポレータ１９を通
る過程で冷却されて、その空気に含まれる水分が凝縮して除湿される。除湿された空気が
、再びコンデンサ２０を通る過程で加熱されて温風化され、温風がドラム８内に供給され
るというように循環する。このように水槽５内の空気が循環送風路１０を通して循環され
ることに伴い、ドラム８内の洗濯物が乾燥される。  
以上により、洗濯、乾燥運転が終了する。
【００２２】
以上のような各工程において、コンプレッサ２３の作動時には、コンプレッサ２３自身
の振動によるコンプレッサ取付部２４の振動が発生する。この振動は、比較的小さいもの
でありコンプレッサ取付部２４が弾性支持体２５により挟持されたスプリング３１が伸縮
することでコンプレッサ２３の振動伝達を抑えることができる。さらにこのスプリング３
１の伸縮に併せて、接触部２５ａ４、２５ｂ４がスプリング３１と摺動することで、コン
プレッサ２３の上下の振動を抑制し、配管２８への負荷を抑えることができる。さらにこ
の場合、テーパ部２５ａ５とスプリング３１の間に形成される中間離間部２５ａ２の隙間
によって、スプリング３１が左右に振れる自由度を有しているため、コンプレッサ２３の
横の振動に対してもスプリング３１は吸収することができる。  
【００２３】
一方、ドラム８が回転するときには、その回転に同調して外箱２が振動し、とりわけ脱
水運転の際に発生する共振時には、外箱２に大きな振動が発生し、コンプレッサに振動が
伝達される。またドラムの回転数を増加させる時にコンプレッサ２３自身が共振のために
大きな振動を発生する。  
これら振動によるコンプレッサ組立２１の動作は、まずスプリング３１が伸縮する。そ
の場合、振幅が大きくスプリング３１が上部弾性体２５ａと下部弾性体２５ｂとの隙間ａ
より大きく縮んだ場合には、スプリング３１の弾性力と併わせて、上部弾性体２５ａの下
面と下部弾性体２５ｂの上面との対向面が接触することで起こる弾性力が生まれる。  
この弾性力は、テーパー部の先端部が変形して下部弾性体２５ｂとの接触面積が広がる
ことにより発生するが、スプリング３１の縮小がさらに大きいと、テーパ部２５ａ５は横
方向に膨らむことからテーパ部の断面積が大きくなり、より下部弾性体２５ｂとの接触面
積が広がり弾性力が増加することになる。  
【００２４】
すなわちコンプレッサ２３の振動による沈み込みが大きくなるに従い、上部弾性体２５
ａのテーパ部２５ａ５と下部弾性体２５ｂとの接触面積が大きくなり、徐々に弾性力を大
きくすることができる。  
またこの場合、上部弾性体２５ａと下部弾性体２５ｂとが接触圧縮により、高さ方向に
縮んで横方向に膨らむようになる。そしてその膨らんだ部分は、内側方向つまり中空離間
部２５ａ２方向に延びて、取付ボルト２６の円柱部２７に接触するようになる。すると、
上部弾性体２５ａと下部弾性体２５ｂとの接触による弾性力に加えて、中空離間部２５ａ
２において上部弾性体２５ａと円柱部２７とが摺動接触することによる摩擦力も発生する
。
【００２５】
さらには、上部弾性体２５ａは、高さ方向に縮むことにより、テーパ部２５ａ５分が外
周方向に膨らむ様相を呈す。すると接触部２５ａ４の直下のテーパ部２５ａ５とスプリン
グ３１とが接触するようになり、この部分でも、上部弾性体２５ａとスプリング３１とが
摺動接触することによる摩擦力が発生するようになる。  
このように、台板１２からコンプレッサ２３に対して大きな振動が伝わる場合で、スプ
リング３１が隙間ａを越えて縮小するようなときには、スプリング３１の弾性力に加えて
、上部弾性体２５ａと下部弾性体２５ｂとの接触による弾性力が加わり、より振動を吸収
することができる。
【００２６】
そしてさらに振動が大きい時は、上記二つの弾性力に加えて、中空離間部２５ａ２と円
柱部２７との摩擦力、テーパ部２５ａ５とスプリング３１との摩擦力が発生し、より振動
を減衰することができる。  
すなわち、このように構成した防振支持脚３０を備えたコンプレッサ組立２１であれば
、振動が大きくなるほど、弾性力、摩擦力が増加していき、その大きな振動を減衰吸収す
ることができる。  
特に、スプリング３１が隙間ａを越えて縮小するようなときには、例えば、テーパ部２
５ａ５を有してないものであれば、上部弾性体２５ａと下部弾性体２５ｂが接触した時に
は、バネ定数が大きくなり弾性力が大きくなってしまう。そのためコンプレッサ２３の固
有振動数が大きくなり騒音が発生してしまう問題を有していた。しかし本実施例ではテー
パ部２５ａ５を設けているため、テーパ部２５ａ５の接触断面積が徐々に広がることから
弾性力は徐々に大きくなっていく。そのため、コンプレッサ２３の沈み込みが大きい時で
も、バネ定数を徐々に大きくできることから効果的に振動を吸収することができる。
【００２７】
またコンプレッサ２３が一様な重量でない場合や、組み立て誤差の場合、配管の設置状
況等では、３つの取付部２４に均等に加重がかからないことがある。この場合、３つの弾
性支持体２５のうち幾つかが隙間ａがない状態となる場合も考えられるが、このような隙
間の無い状態になったとしても、テーパ部２５ａ５を設けているため、徐々に弾性力を増
加することができ、効果的に振動を吸収することができる。  
以上のように本実施例によれば、コンプレッサ組立２１の振動を防止することができる
ので、前記振動に伴う配管２８ａ、２８ｂ、２８ｃの応力の発生を抑制することができ、
配管２８ａ、２８ｂ、２８ｃの破損を防止することができる。
【００２８】
また、前記破損を防止することで、配管２８ａ、２８ｂ、２８ｃひいてはヒートポンプ
２９の寿命を長く延ばすことができる。  
なお、このような効果を有する弾性支持体２５として、図６の構成のよる弾性支持体３
５のものを使用してもよい。この場合、下部弾性体３５ｂに傾斜部であるテーパ部３５ｂ
５を設けることで上述した弾性支持体２５と同様な効果が得られる。  
またさらに、図７のように上述した図５、図６の弾性体を組み合わせた弾性支持体４５
としてもよい。この例では、傾斜部であるテーパ部２５ａ５、３５ａ５を有する上部弾性
体２５ａと下部弾性体３５ｂとを組み合わせることにで、徐々に弾性力が増加することに
よるコンプレッサ２３振動の吸収をより効果的にすることができる。
【００２９】
＜第２実施例＞
第１の実施例と異なる構成につき、図８乃至図１０を参照して説明する。  
図８は、本発明の第２実施例を示すものであり、第１実施例と異なるところを説明する
。図８は、防振支持脚３０を拡大して示した図である。尚、第１実施例と同一部分には同
一符号を付している。  
第１の実施例による、図５と異なる点は、上部弾性体の形状であって、図８に示すよう
に、上部弾性体５５ａのスプリング３１と接触する接触部５５ａ４を下方まで延長し、上
部弾性体５５ａの外周の略全体がスプリング３１と接触するようにしている。  
さらに、中空離間部５５ａ２において、傾斜部であるテーパ部を内側から外側に円柱部
２７から離れるように傾斜させて設けていることで図５と異なる。
【００３０】
テーパ部５５ａ５による効果は、上部弾性体５５ａと下部弾性体５５ｂとが接触した場
合には、実施例１と同様な作用により、上部弾性体５５ａと下部弾性体５５ｂとの接触面
がテーパ部５５ａ５の圧縮変形で横方向に膨らむことにより弾性力が増加する。またさら
に、このテーパ部５５ａ５は、外周方向への変形が上部弾性体５５ａの略外周全域で接触
するスプリング３１によって抑制され、スプリング３１と接触部５５ａ４との強い摩擦力
が加わることになる。  
したがって、この実施例によれば、上部弾性体５５ａの外周略全体をスプリング３１と
接触させ、テーパ部５５ａ５を中空離間部５５ａ２に形成することにより、スプリング３
１の摩擦力による振動の減衰を効果的に発揮できる。  
なお、このような効果を有する防振支持部脚３０として、図９の構成のよる弾性支持体
６５のものを使用してもよい。この場合、下部弾性体６５ｂにテーパ部６５ｂ５を設ける
ことで上述した弾性支持体５５と同様な効果が得られる。
【００３１】
またさらに、図１０のように上述した図８、図９の弾性体を組み合わせた防振支持脚３
０としてもよい。この例では、テーパ部５５ａ５、６５ｂ５を上部弾性体５５ａと下部弾
性体６５ｂと双方に有する構成とすることで、徐々に弾性力が増加することによるコンプ
レッサ２３振動の吸収をより効果的にすることができる。  
なお、本発明は上記し且つ図面に示した実施例にのみ限定されるものではなく、要旨を
逸脱しない範囲内で適宜変更して実施し得る。
【図面の簡単な説明】
【００３２】
【図１】ドラム式洗濯乾燥機の全体構成の概略を示す縦断正面図
【図２】ドラム式洗濯乾燥機の縦断右側面図
【図３】（ａ）コンプレッサ組立の側面図、（ｂ）コンプレッサ組立の上面図
【図４】取付ボルトの外観図
【図５】コンプレッサの防振支持脚構造の半断面図
【図６】本発明の図５相当図
【図７】本発明の図５相当図
【図８】本発明の第２実施例を示す図５相当図
【図９】本発明の第２実施例を示す図５相当図
【図１０】本発明の第２実施例を示す図５相当図
【符号の説明】
【００３３】
図面中、１  ドラム式洗濯乾燥機、２  外箱、３  洗濯物投入口、４  扉、５  水槽、
５ａ  サスペンション、６  水槽カバー、６ａ  排気口、７  ベロー、８  ドラム、８ａ
孔、９  モータ、１０  循環送風路、１１  給気口、１２  台板、１３  乾燥ユニット
用ダクト、１４  送風機、１５  可撓性ダクト、１６  排気ダクト、１７  ファンケーシ
ング、１７ｂ  吐出口、１８  給気ダクト、１８ａ  接続ダクト、１９  エバポレータ（
蒸発器）、２０  コンデンサ（凝縮器）、２１  コンプレッサ組立、２２  支持台、２３
コンプレッサ（圧縮機）、２４  取付部、２４ａ  孔部、２５  弾性支持体、２５ａ  
上部弾性体、２５ａ１  中空部、２５ａ２  中空離間部、２５ａ３  フランジ部、２５ａ
４  接触部、２５ａ５  テーパ部、２５ｂ  下部弾性体、２５ｂ３  フランジ部、２５ｂ
４  接触部、２６  取付ボルト（取付部材）、２６ａ  ワッシャ、２７  円柱部、２８、
２８ａ、２８ｂ、２８ｃ配管、２９  ヒートポンプ機構、３０  防振支持脚、３１  スプ
リングを示す。
【図１】
2008000260.tif 000003
【図２】
2008000260.tif 000004
【図３】
2008000260.tif 000005
【図４】
2008000260.tif 000006
【図５】
2008000260.tif 000007
【図６】
2008000260.tif 000008
【図７】
2008000260.tif 000009
【図８】
2008000260.tif 000010
【図９】
2008000260.tif 000011
【図１０】
2008000260.tif 000012